(57)【要約】      （修正有）【課題】包装容器の構造の一部を変形させて装飾構造とし、かつ、重力の大きい内容物を支えることができる包装容器兼用額縁体を提供する。【解決手段】包装容器兼用額縁体１は、底板２Ａとこの底板２Ａの四方側縁部に連続して立設された側面部２Ｂ，２Ｃ，２Ｄ，２Ｅでなる上方が開口した容器本体２と、この容器本体の一つの側面部２Ｃの底板２Ａとの連続部位に設けられると共に前記開口２ａを開閉可能とし、かつ該容器本体２に対して開口した際には該容器本体２を支持する脚として機能する蓋部３と、を備える。また、容器本体２に内容物Ｐを収納した際には該内容物Ｐを固定し、蓋部３が脚として機能する際には該蓋部３の脚としての位置を固定する帯５を設ける。【選択図】図１
0003174867.tif 000002
【実用新案登録請求の範囲】
【請求項１】
内容物を包装すると共に、この内容物を装飾することができる包装容器兼用額縁体であって、底板とこの底板の四方側縁部に連続して立設された側面部でなる上方が開口した容器本体と、この容器本体の一つの側面部の底板との連続部位に設けられると共に前記開口を開閉可能とし、かつ該容器本体に対して開口した際には該容器本体を支持する脚として機能する蓋部と、を備え、前記容器本体に内容物を収納した際には該内容物を固定し、蓋部が脚として機能する際には該蓋部の脚としての位置を固定する帯を設けたことを特徴とする包装容器兼用額縁体。
【考案の詳細な説明】
【技術分野】
【０００１】
本考案は、包装容器とこの包装容器に収納された内容物を装飾表示する額縁の機能を備えた包装容器兼用額縁体に関するものである。
【背景技術】
【０００２】
例えば下記の特許文献１，２には、被包装物たる内容物を取り出した後も額縁や写真立てのように使用することができる包装用箱が提案されている。また、特許文献１，２以外にも、包装容器を装飾構造体として使用できる構成とされたものが多数存在している。
【０００３】
特許文献１は、底板を有した容器本体と、この容器本体に対して外嵌し、側縁部を除く中央部位が開口状態とされた蓋体と、を備え、容器本体の底板内面に載置用の脚部を設けた構成とされている。この特許文献１は、容器本体の底板内面を外側に向けて脚部を露出状態とし、容器本体の天板外面と蓋体との間に表示板を挟み込み、前記脚部により載置して装飾表示するものである。
【０００４】
特許文献２は、底板を有した容器本体と、この容器本体に対して外嵌する蓋体と、蓋体に内嵌され、側周面と連続する天板の中央部位が開口状態とされると共に底板が省略されたフレームと、を備え、この容器本体の底板の一部に切り込みが形成されて、該切り込みによって底板の一部を展開することで現れる脚部を有した構成とされている。この特許文献２は、蓋体を外し、フレームから容器本体内の内容物を露出させ、脚部を容器本体の底板から展開して載置して装飾表示するものである。
【０００５】
上記したこの種の包装容器兼用額縁体は、構成が概ね２つに分別される。まず、１つは包装容器自体に別個の装飾構造を設けた構成、もう１つは包装容器の構造の一部を変形させて装飾構造とする構成、である。
【０００６】
しかし、特許文献１では、蓋体に開口を有する点で、容器本体と蓋体とで内容物が外部に露出しないように包装しておくことができず、基本的に内容物を保護する容器としての機能が不完全である。また、特許文献１，２では共に、容器本体の一部が脚部として機能しているので、内容物が重量の大きい場合は耐力に乏しく載置して装飾表示できない可能性がある。
【０００７】
一方、大別したうちの包装容器自体に別個の装飾構造を設けた構成は、容器と装飾構造の構成が互いの構成の一部を用いていないので、容器、装飾構造、いずれの機能もほぼ完全ではあるが、構成そのものが大がかりで場合によっては内容物よりも高価で重量も大きくなると共に、装飾構造が容器の機能に対して、あるいは容器が装飾の機能に対して、やや無駄な構成となる場合がある。
【０００８】
さらに、上記の（特許文献１，２を含む）包装容器の構造の一部を変形させて装飾構造とする構成は、包装容器の一部が脚部となる点で、装飾構造の構成としては不完全で重量の大きい内容物を支えることができない場合があると共に、包装容器の構成を部分的に変形させることになるので外観や意匠性に欠ける場合がある。
【先行技術文献】
【特許文献】
【０００９】
【特許文献１】実開平５−６１０７６号公報
【特許文献２】特開２０１０−１８９０４９号公報
【考案の概要】
【考案が解決しようとする課題】
【００１０】
解決しようとする問題点は、従来の、包装容器自体に別個の装飾構造を設けた構成では、構成そのものが大がかりで場合によっては内容物よりも高価で重量も大きくなると共に、装飾の機能と容器の機能の双方に対して互いに無駄な構成となる場合があり、包装容器の構造の一部を変形させて装飾構造とする構成では、重力の大きい内容物を支えることができない場合があると共に、包装容器の一部を変形させることで外観や意匠性に欠ける場合がある、という点である。
【課題を解決するための手段】
【００１１】
本考案は、内容物を包装すると共に、この内容物を装飾することができる包装容器兼用額縁体であって、底板とこの底板の四方側縁部に連続して立設された側面部でなる上方が開口した容器本体と、この容器本体の一つの側面部の底板側との連続部位に設けられると共に前記開口を開閉可能とし、かつ該容器本体に対して開口した際には該容器本体を支持する脚として機能する蓋部と、を備え、前記容器本体に内容物を収納した際には該内容物を固定し、蓋部が脚として機能する際には該蓋部の脚としての位置を固定する帯を設けたことを最も主要な特徴とする。
【考案の効果】
【００１２】
本考案は、特に重量のある内容物を包装（収納）し、かつ装飾表示する場合に以下の効果がある。本考案の包装容器兼用額縁体は、重量のある内容物（以下、重量物という）を容器本体に収納した際には、帯により重量物を固定することができるので、該容器本体から重量物が飛び出したり該容器本体内で移動したりすることを防止できる。
【００１３】
また、本考案は、重量物を装飾表示する装飾構造として使用する場合は、蓋部を容器本体の底板裏面側に廻して、容器本体を斜めに立てて載置する脚として該蓋部が機能するが、この状態の蓋部を帯により固定することができるので、重量物を装飾表示するとしても、容器本体が載置状態から倒れてしまうことを防止できる。
【００１４】
すなわち、本考案は、従来の、容器としては無駄な構成となっていた装飾時に脚とする構造を容器本体内で重量物を固定できるようにすると共に、そのように容器において機能させる構成である帯が装飾時において脚となる蓋部の固定もできるようにして、容器と装飾の双方の機能に対する構成の無駄を省くと共に双方の機能を確実なものとすることができる点で利点がある。
【図面の簡単な説明】
【００１５】
【図１】図１は、本考案の包装容器兼用額縁体の概略構成を示し、（ａ）は蓋部を開けた状態の斜視図、（ｂ）は蓋部を閉めた状態を上方から視た図、（ｃ）は装飾時の斜視図、（ｄ）は装飾時を裏面から視た図、である。（実施例１）
【図２】図２は、本考案の包装容器兼用額縁体の概略構成を示し、（ａ）は蓋部を開けた状態を前方から視た図、（ｂ）は蓋部を開けた状態を上方から視た図、（ｃ）は要部分解斜視図、（ｄ）は帯の端部を示す図、である。（実施例１）
【図３】図３は、本考案の包装容器兼用額縁体の概略構成を示し、（ａ）は蓋部を開けた状態の斜視図、（ｂ）は蓋部を閉めた状態を上方から視た図、（ｃ）は装飾時の斜視図、（ｄ）は装飾時を裏面から視た図、である。（実施例２）
【図４】図４は、本考案の包装容器兼用額縁体の概略構成を示し、（ａ）は蓋部を開けた状態を一方側面から視た図、（ｂ）は蓋部を開けた状態を他方側面から視た図、（ｃ）は要部分解斜視図、である。（実施例２）
【考案を実施するための形態】
【００１６】
本考案は、包装容器自体に別個の装飾構造を設けた構成における該装飾構造が容器の機能に対しては余分な構成となる点、また、包装容器の構造の一部を変形させて装飾構造とする構成における重量物を支えることができないという点を、底板とこの底板の四方側縁部に連続して立設された側面部でなる上方が開口した容器本体と、この容器本体の一つの側面部の底板との連続部位に設けられると共に前記開口を開閉可能とし、かつ該容器本体に対して開口した際には該容器本体を支持する脚として機能する蓋部と、を備え、前記容器本体に内容物を収納した際には該内容物を固定し、蓋部が脚として機能する際には該蓋部の脚としての位置を固定する帯を設けるという形態にて解消した。
【００１７】
以下に、本考案をより具体的に実施するための形態について図面を参照して説明する。なお、以下、実施例１，２において同様構成については同じ参照符号を付し、基本的な構成は実施例１で説明し、実施例２で実施例１と重複する説明は省略する。
【実施例１】
【００１８】
図１、図２に示す実施例１における包装容器兼用額縁体１は、次のように構成されている。２は、例えば紙を材質とした内容物Ｐ、特に本考案では比較的重量のある内容物Ｐを包装可能とする容器本体である。
【００１９】
容器本体２は、実施例１及び実施例２を共通して、底板２Ａとこの底板２Ａの四方側縁部に連続して立設された側面部２Ｂ，２Ｃ，２Ｄ，２Ｅが形成されている。なお、以下、側面部２Ｂを正面とし、側面部２Ｂを正面とした関係で、側面部２Ｃを背面、側面部２Ｄを左側面、側面部２Ｅを右側面、とする。
【００２０】
さらに、容器本体２は、側面部２Ｃの底板２Ａとの連続部位に、側面部２Ｂ，２Ｃ，２Ｄ，２Ｅの上端縁部で形成される開口２ａを開閉可能とし、かつ開いた際には容器本体２を斜めに立設支持する脚として機能する蓋部３が設けられている。
【００２１】
また、容器本体２の内部には、内容物Ｐを該容器本体２内部において位置固定をすると共に、衝撃を吸収するための緩衝材４を挿入している。この緩衝材４は、通常の、開梱後に捨てることを前提としたものではなく、開梱後に開口２ａから露出して内容物Ｐを装飾する前提で設けられている。したがって、緩衝材４は無機質なものではなく、装飾性を備えたものとなっている。
【００２２】
本実施例１，２の場合、緩衝材４は、内容物Ｐを中心として四方縁部を囲う形状の額縁状とされ、材質は例えばウレタンスポンジを採用し、このウレタンスポンジを例えばシルクの生地で覆って高級感を演出している。
【００２３】
さらに、容器本体２の内面には帯５が設けられている。実施例１における帯５は、図２（ｃ）に示すように、側面部２Ｄ，２Ｅのそれぞれの内面に帯５ａ，５ｂを各々設けている。この帯５ａ，５ｂは、図１（ｂ）に示すように、例えば実施例１では、蓋部３を閉じた際には、容器本体２から露出させてリボン（蝶）結びをして蓋部３を閉じた状態を維持するようにすると共に装飾として機能させてもよい。
【００２４】
また、帯５ａ，５ｂは、容器本体２から露出させずに図１（ａ）に示すように該容器本体２内で内容物Ｐを固定するようにしておいてもよい。帯５ａ，５ｂの側面部２Ｄ，２Ｅに設けた側と反対の端部の上面には、対をなす面テープ６の一方貼着面６Ａが設けられている。なお、面テープ６の他方貼着面６Ｂは、蓋部３に設けられている（後述）。
【００２５】
図２（ｄ）に示す、帯５ａは、一方貼着面６Ａが設けられた側と反対面に、他方貼着面６Ｃが設けられている。この他方貼着面６Ｃは、図１（ａ）のように使用する際に、帯５ｂの一方貼着面６Ａと貼着して帯５ａ，５ｂを連結状態とするために設けている。
【００２６】
蓋部３は、上述のとおり、縦幅を、側面部２Ｃと底板２Ａとの連続部位から該側面部２Ｃの高さ分と、開口２ａを覆う分（つまり側面部２Ｃから側面部２Ｂの対向距離分）とされ、横幅を、側面部２Ｄと側面部２Ｅの対向距離分としている。蓋部３は、縦幅における側面部２Ｃと底板２Ａとの連続部位から、側面部２Ｃの高さ分の位置に横幅方向へ折目３Ａが形成されている。
【００２７】
この蓋部３は、後述する包装容器兼用額縁体１を装飾構造体として使用する場合には、側面部２Ｃと底板２Ａとの連続部位から底板２Ａの裏面側へと折り曲げ、さらに折目３Ａを折り曲げて底板２Ａと当接させて容器本体２を斜めに立設させるための脚として機能する。実施例１，２では、蓋部３は容器本体２と同様の材質とするが、例えば前記のとおり脚として、また蓋として機能させる観点からは、該容器本体２に較べて厚めにしておいてもよい。
【００２８】
そして、蓋部３の内側、つまり閉状態とした際に、容器本体２内部に臨む側で、側面部２Ｂ側の幅方向両端部に、面テープ６の他方貼着面６Ｂがそれぞれ設けられている。この他方貼着面６Ｂは、蓋部３を容器本体２に対して閉じた際には露出しないので、外観を損なうことがない。
【００２９】
実施例１の包装容器兼用額縁体１は、次のように使用する。包装容器として機能させる場合は、蓋部３を容器本体２に対して開けて、内容物Ｐを挿入し、例えば図１（ａ）のように帯５を露出させない場合は、帯５ｂの一方貼着面６Ａを帯５ａの他方貼着面６Ｃと貼着して連結して該内容物Ｐを固定する。また、例えば図１（ｂ）のように帯５を露出する場合は、帯５ａ，５ｂを蓋部３を閉じた上面においてリボン結びなどしておく（面テープ６で連結してもよい）。
【００３０】
包装容器兼用額縁体１を装飾構造体として機能させる場合は、蓋部３を容器本体２に対して開けて、さらに該蓋部３を底板２Ａの裏面に廻し、折目３Ａで折り曲げて底板２Ａの裏面に当接させるようにし、そのうえで、帯５ａと帯５ｂを底板２Ａの裏面側へ送り、蓋部３のいま底板２Ａの裏面側において露出している面テープ６の他方貼着体６Ｂ，６Ｂと、該帯５ａ，５ｂの一方貼着体６Ａ，６Ａとを貼着する。
【００３１】
このようにすることで、帯５ａ，５ｂは、包装容器兼用額縁体１を包装容器として機能させる場合においては容器本体２内で内容物Ｐを固定することとなり、一方、包装容器兼用額縁体１を装飾構造体として機能させる場合においては支持用の脚とする蓋部３の移動を禁止して斜めに立設した状態を維持することができる。
【００３２】
つまり、包装容器兼用額縁体１は、帯５が、包装容器としても装飾構造体としても機能していることとなり、従来のように容器、装飾のいずれか一方にのみ機能する又はいずれにおいても機能が不完全である、といったことがない。
【００３３】
なお、帯５ａ，５ｂが分離した構成ではなく、予め連続した帯（参照符号を「５ｚ」とする：図示無）としても構わない。この場合、面テープ６（６Ａ，６Ｂ，６Ｃ）は構成から省略することができる。包装容器兼用額縁体１を包装容器として機能させる場合には、上記と同様に帯５ｚを側面部６Ｄ−６Ｅへと架け渡して内容物Ｐを固定する。また、包装容器兼用額縁体１を装飾構造体として機能させる場合には、帯５ｚを側壁部６Ｄ−６Ｅから外して底板２Ａの裏面に廻して、蓋部３の裏面に架け渡す（蓋部３は帯の内周部に位置する）。
【００３４】
さらに、上記帯５ｚに長さ調節用のバックルを設けておけば、上記のように包装容器兼用額縁体１を包装容器として機能させる場合には帯５ｚにより内容物Ｐをより強固に固定しておくことができる。また、包装容器兼用額縁体１を装飾構造体として機能させる場合には、蓋部３と容器本体２との（容器本体２を斜めに立設する際の）角度の調整角度を調整することができる。
【実施例２】
【００３５】
図３、図４に示す実施例２は、実施例１における帯５ａ，５ｂに代えて、帯５ｃ，５ｄ、及び帯５ｇを設けている点と、帯５ｃ，５ｄ，５ｇに伴う内容物Ｐの包装と蓋部３の装飾体とした際の支持の仕様が異なっており、その他は実施例１と同様である。
【００３６】
実施例２では、容器本体２の側面部２Ｅの外側に帯５ｃが、側面部２Ｄの外側に帯５ｄが各々設けられ、また、側面部２Ｂの内側に帯５ｇが設けられている。帯５ｃ，５ｄは、側面部２Ｅ，２Ｄにおいて側面部２Ｂ寄りの位置に設けられている。一方帯５ｇは、側面部２Ｂの幅方向（側面部２Ｄ−２Ｅ間方向）中央に設けられている。
【００３７】
帯５ｃは、側面部２Ｅから側面部２Ｄに至る長さとされ、側面部２Ｅに設けられた側と反対の端部の裏面にホック５ｅが設けられている。また、帯５ｄは側面部２Ｄに設けられた側と反対の端部の表面にホック５ｆが設けられている。
【００３８】
帯５ｇは、側面部２Ｂの内側から側面部２Ｃの内側に至る長さとされ、側面部２Ｂに設けられた側と反対の端部の表面に、面テープ６の一方貼着面６Ａが設けられている。また、蓋部３の裏面において閉状態とした際の側面部２Ｂ寄りの幅方向中央と、側面部２Ｃの裏面側（図４（ｃ）参照）には、帯５ｇの一方貼着面６Ａに対応する面テープ６の他方貼着面６Ｂ，６Ｂが各々設けられている。
【００３９】
実施例２の包装容器兼用額縁体１において容器として機能させる場合は、容器本体２へ内容物Ｐを収納した状態で、帯５ｇを側面部２Ｂから側面部２Ｃへと架け渡し、該側面部２Ｃの裏面に設けられた他方貼着面６Ｂに、該帯５ｇの一方貼着面６Ａを貼着して内容物Ｐを固定する。そして、蓋部３を容器本体２に対して閉めて、帯５ｃを蓋部３の表面を介して側面部２Ｅから側面部２Ｄへと渡し、帯５ｄのホック５ｆと、該帯５ｃのホック５ｅとを止め、図３（ｂ）に示す状態として蓋部３を閉状態でロックする。
【００４０】
そして、実施例２の包装容器兼用額縁体１において装飾構造体として機能させる場合は、帯５ｃと帯５ｄとのホック５ｅ，５ｆを外し、蓋部３を容器本体２に対して開けて、さらに蓋部３を底板２Ａの裏面へ廻し、さらに折目３Ａを介して折り曲げつつこの部位を底板２Ａに当接させる。
【００４１】
一方、帯５ｇの一方貼着面６Ａを側面部２Ｃの他方貼着面６Ｂから外し、該帯５ｇを側面部２Ｂを介して底板２Ａの裏面側へ回し、この後、該帯５ｇの一方貼着面６Ａを蓋部３の他方貼着面６Ｂと貼着させる。帯５ｃは、例えば側面部２Ｅを介して底板２Ａの裏面側を廻して帯５ｄのホック５ｅ，５ｆで連結させておく。
【００４２】
このようにすることでも、上記実施例１と同等の作用効果を得ることができると共に、実施例２の場合、容器本体２の縦方向（側面部２Ｂ−２Ｃ方向）と横方向（側面部２Ｄ−２Ｅ方向）において各々帯５ｇ、帯５ｃが内容物Ｐを固定するので、容器としての内容物固定機能が向上する。
【００４３】
また、帯５ｃは装飾構造として使用する際には、上記では底板２Ａの裏面に廻すようにしていたが、内容物Ｐの装飾性の妨げにならないならば、表面に廻して（包装容器２内で内容物Ｐを固定した状態のまま）使用してもよい。
【００４４】
さらに、帯５ｇについては、上記では、側面部２Ｃの内面に設けた面テープ６の他方貼着体６Ｂに貼着することで、内容物Ｐを容器本体２内で固定するようにしていたが、内容物Ｐが重量のある場合には、他方貼着体６Ｂは必要でなく、例えば帯５ｇを内容物Ｐの裏面側で底板２Ａの内面との間に挟み込んで該内容物Ｐの自重でもって該帯５ｇを固定するようにしてもよい。
【産業上の利用可能性】
【００４５】
本考案の包装容器兼用額縁体１は、例えば写真などの画像データを焼き付けたセラミック板の記念品、贈答品を内容物Ｐとした用途に適用して好適である。この理由は、前記内容物Ｐは比較的重量があるために装飾するための額縁等に適当なものが存在しないためである。本考案の包装容器兼用額縁体１であれば、容器として無駄にならないし、装飾構造として重量のある内容物Ｐであっても倒れたりすることなく確実に装飾しておくことができる。
【符号の説明】
【００４６】
１  包装容器兼用額縁体
２  容器本体
３  蓋部
５  帯
Ｐ  内容物
【図１】
0003174867.tif 000003
【図２】
0003174867.tif 000004
【図３】
0003174867.tif 000005
【図４】
0003174867.tif 000006